(57)【特許請求の範囲】
【請求項１】
バルコニーの床組みを構成する妻ばりまたは連結根太の端部から水が漏れないように止水するバルコニーであって、
前記妻ばりまたは連結根太に沿って長手方向に形成された側溝部の両端部を閉塞する止水キャップと、
前記止水キャップと前記側溝部との間を水密にシールするパッキン部材と、
前記止水パッキンを前記止水キャップと側溝部の間に挟み付け、当該止水キャップおよび止水パッキン部材を前記側溝部に固定するねじ要素を有する固定手段と、からなる止水構造を備え、
前記固定手段は、前記止水キャップに一体的に形成され止水キャップの底部に開口する内径部に雌ねじ部を有する円筒部と、前記側溝部の裏側から前記止水パッキン部材を貫いて円筒部の雌ねじ部に螺合する雄ねじ部材からなることを特徴とするバルコニー。
【発明の詳細な説明】
【０００１】
【発明の属する技術分野】
本発明は、バルコニーに係り、特に、バルコニーの妻ばりの端部に取り付けられる止水用キャップの止水性能を向上させた止水構造を有するバルコニーに関する。
【０００２】
【従来の技術】
近年の住宅では、躯体の壁から外に張り出すようにバルコニーを設けたもの多くなっている。この種のバルコニーには、柱でバルコニーを支持する柱建て式のバルコニー、屋根上にデッキを設置する屋根置き式のバルコニー、庭置き式のバルコニーなどがある。
【０００３】
一般に、バルコニーは屋根を備えていないため、降雨の時には、雨がバルコニーのデッキに直接降りかかるようになっている。このため、従来のバルコニーでは、デッキボードの表面に雨水を受ける溝が長手方向に設けられており、雨水は、この溝を通してデッキボードの両端部に取り付けられている妻ばりに導き、さらに、この妻ばりで受けた雨水を雨樋に流して排出している。
【０００４】
そこで、図５に従来の柱建て式のバルコニー１０の全体図を示す。図６は、このバルコニーの組み立ての順序を説明する図である。
図５、図６において、参照符号１２は、バルコニーを左右両側で支持する主柱を示し、１３は、主柱１２、１２の間に配置される中柱である。図６（ａ）に示すように、これらの主柱１２、１２と中柱１３にはけた１４が架け渡され、またそれぞれ主柱１２、１２には、このけた１４と直角な方向に妻ばり１５が連結されている。中柱１３には、妻ばり１５、１５と平行に連結根太１６が架設されている。根太掛け１７は、妻ばり１５、１５の端部にけた１４と平行に架け渡されるようになっている。
【０００５】
次いで、図６（ｂ）に示されるように、けた１４と根太掛け１７を架け渡すようにして、複数本の根太１８が所定の間隔で平行に取り付けられている。また、根太１８を取り付けた後、根太掛け１７には、根太掛けカバー１９が取り付けられる。
【０００６】
そして、図６（ｃ）に示されるように、妻ばり１５と連結根太１６とに張り渡すようにして、所要枚数のデッキボード２０が取り付けられる。このデッキボード２０の表面には、水を排水するための溝２１が長手方向に形成され、水が妻ばり１５あるいは連結根太１６に導かれるようになっている。
【０００７】
こうして組み立てられたデッキには、図５に示されるように、バルコニーの正面には、前格子２２、前笠木２３からなる格子パネルが取り付けられ、バルコニー左右側面には、横格子パネル２４、横笠木２５からなる格子パネルが取り付けられる。
【０００８】
このような従来の柱建て式のバルコニーでは、妻ばり１５あるいは連結根太１６が雨水などを受けて、主柱１２、中柱１３に沿って取り付けられた雨樋２６に流すようになっている。
【０００９】
妻ばりまたは連結根太は、雨水を受けるために、その両端部には、水が漏れないように止水構造が設けられている。従来から一般に採用されている止水構造は、発泡スポンジなどの材料からなる止水部材をシーリング材を充填して接着するというものである。
【００１０】
【発明が解決しようとする課題】
しかしながら、従来の妻ばりまたは連結根太での止水構造は、止水部材を接着しているため、風雨に長い間さらされることにより、その経年劣化が進行し、次第に止水機能が低下して、水が漏れていくるという欠点が指摘されている。特に、妻ばりまたは連結根太に止水部材を最初に接着するときに、コーキングが不十分であったり、接着の仕方が不完全であったりすると、止水機能の経年的劣化が進み易くなり、完全な止水を行えないのが実状であった。
【００１１】
そこで、本発明の目的は、前記従来技術の有する問題点を解消し、止水部材を接着材を用いることなく、隙間の生じないように取り付けることができ、長期間に亘って十分な止水機能を維持できるようにしたバルコニーを提供することにある。
【００１２】
【課題を解決するための手段】
前記の目的を達成するために、本発明は、バルコニーの床組みを構成する妻ばりまたは連結根太の端部から水が漏れないように止水するバルコニーの止水構造において、前記妻ばりまたは連結根太に沿って長手方向に形成された側溝部の両端部を閉塞する止水キャップと、前記止水キャップと前記側溝部との間を水密にシールする止水パッキン部材と、前記止水パッキンを前記止水キャップと側溝部の間に挟み付け、当該止水キャップおよび止水パッキン部材を前記側溝部に固定するねじ要素を有する固定手段と、からなる止水構造を備え、前記固定手段は、前記止水キャップに一体的に形成され止水キャップの底部に開口する内径部に雌ねじ部を有する円筒部と、前記側溝部の裏側から前記止水パッキン部材を貫いて円筒部の雌ねじ部に螺合する雄ねじ部材からなることを特徴とするものである。
【００１３】
本発明によれば、ねじ要素を妻ばりまたは連結根太の側溝部の裏側から止水キャップに螺入して締め込んでいくと、パッキン部材を側溝部の底面と止水キャップの間で挟み付けることになる。このため、止水キャップと側溝部の間には、隙間が生じないようにパッキン部材によって完全にシールされる。
【００１４】
【発明の実施形態】
以下、本発明によるバルコニーの一実施形態について、添付の図面を参照しながら説明する。
図１は、本発明によるバルコニーが適用される柱建て式のバルコニーの床組を示す。柱建て式のバルコニーの全体構造は、図５、図６の従来のバルコニーと同一であるので、同一の構成要素には、同一の参照符号を付して、その詳細な説明は省略する。
【００１５】
図１において、けた１４は、その両端部をけた取付金具３０、３０を用いて主柱１２と中柱１３に水平に取り付けられており、妻ばり１５の一端部は、妻ばり取付金具３１を用いて主柱１２に接合され、妻ばり１５とけた１４とは水平な姿勢で直交するように取り付けられている。この妻ばり１５は、けた１４側に向かって傾斜する勾配を付けるようにしてもよい。同様に、連結根太１６の一端部は、連結根太取付金具３２を用いて、中柱１３に接合され、妻ばり１５とは平行に取り付けられている。なお、図１において、参照３３は、補強のために妻ばり１５とけた１４の隅部、およびけた１４と連結根太１６の隅部に斜めに架け渡される火打ちを示している。
【００１６】
妻ばり１５には、その側面には雨水等を導く側溝部３４が長手方向に一体で形成されている。この側溝部３４は、断面コ字状を呈し平坦な底を有しており、主柱１２に接近した位置では、この側溝部３４の底には、水抜き用の角穴３５が開口し、この角穴３５の下側には、図示しない集水器を介して雨樋が接続されるようになっている。
【００１７】
妻ばり１５が主柱１２と接合する最端部において、側溝部３４を閉塞するように取り付けられているのが止水構造を構成する止水キャップ３６であり、図２に、妻ばり１５の端部の止水構造を拡大して示し、図３に止水キャップの構成を詳細に示す。
【００１８】
図２に示されるように、止水構造は、止水キャップ３６と、その止水キャップ３６と妻ばり１５の側溝部３４の間をシールするためのパッキン部材３７を含んでいる。
【００１９】
図３において、止水キャップ３６は、底部３８と、この底部３８から垂直に立ち上がり側溝部３４を閉じる壁部３９と、互いに対向する側壁部４０ａ、４０ｂとからなる筐体状のキャップからなり、側壁部４０ａから底部３８、側壁部４０ｂに至る断面形状は、側溝部３４の形状に対応している。また、底部３８の中央部には上端部が閉じている円筒部４２が一体的に形成されている。側壁部４０ａ、４０ｂの外側面には、パッキン部材３７の幅に対応した間隔でリブ４１ａ、４１ｂが形成されている。したがって、パッキン部材３７はリブ４１ａ、４１ｂの間の背面に密着させて装着することができるようになっている。円筒部４２は底部においてのみ開口しているとともに、その内径部には、雌ねじ部が形成されるており、ねじ４３が螺合することができる。
【００２０】
一方、パッキン部材３７は、コ字状に折れ曲がった形状を有しており、発泡樹脂等を素材とするもので、好ましくは、両面テープを用いて止水キャップ３６のリブ４１ａ、４１ｂの間の背面に接着される。なお、パッキン部材３７の中央部には、ねじ４３を通すためのねじ穴４９が形成されている。
【００２１】
本実施形態によるバルコニーは、以上のように構成されるものであり、次に、その作用並びに効果について説明する。
図４は、止水キャップ３６にパッキン部材３７を装着してこれを妻ばり１５の側溝部３４の端部にねじ４３を締め込んで取り付けた状態を示す断面図である。この図４に示すように、ねじ４３を妻ばり１５の側溝部３４の裏側から止水キャップ３６の円筒部４２に螺入し、締め込んでいくと、止水キャップ３６は、ねじ４３によって側溝部３４の底面に対して引き付けられるため、パッキン部材３７を側溝部３４の底面と止水キャップ３６の間で挟み付けることになる。このため、止水キャップ３４と側溝部３４の間には、隙間が生じないようにパッキン部材３７によって完全にシールされるとともに、止水キャップ３４はしっかりと妻ばり１５の側溝部３４に固定することができる。しかも、ねじ４３で止水キャップ３４を固定することで、パッキン部材３７を取り付けるようにしているため、従来の発泡スポンジなどを直接接着した方式と異なり、経年劣化という面が少ないため、側溝部３４を流れる水が外に漏れないようにパッキン部材３７のシール性能を長期に亘って維持することが可能となる。
【００２２】
さらに、本実施形態のように、ねじ４３が螺合する雌ねじ部を、止水キャップ３６と一体の上端部が閉じている円筒部の内径部に形成し。ねじ４３を妻ばり１５の下面からねじ込むようにしているため、止水キャップ３６とはねじ４３との間には外に水が漏れるような隙間が存在しない。
【００２３】
以上は、図１における妻ばり１５の主柱１２側の端部に取り付けた止水構造についての説明であるが、図示しない根太掛け側の端部にも、全く同様の止水キャップ３６とパッキン部材３７がボルト４３で取り付けられる。
【００２４】
また、図１における連結根太１６にも、その両側部には、長手方向に側溝部４５が形成されており、この側溝部の止水構造についても、止水キャップ３６を取り付け、本発明を適用できることはいうまでもない。
【００２５】
【発明の効果】
以上の説明から明らかなように、本発明によれば、雄ねじ部材をねじ込んでいくだけで、止水キャップと側溝部の間には、隙間が生じないようにパッキン部材によって完全にシールされるようになると同時に、止水キャップはしっかりと妻ばりの側溝部に固定することができる。しかも雄ねじ部材が螺合する雌ねじ部を、止水キャップと一体の上端部が閉じている円筒部の内径部に形成し、雄ねじ部材を妻ばりの下面からねじ込むようにしているため、止水キャップと雄ねじ部材との間には外に水が漏れるような隙間は存在しなくなる。したがって、側溝部を流れる水が外に漏れてパッキン部材を劣化させることがなくなり、パッキン部材のシール性能を長期に亘って維持することが可能になる。
【図面の簡単な説明】
【図１】本発明によるバルコニーの止水構造が適用されるバルコニーの床組みを示す分解斜視図。
【図２】本発明の一実施形態によるバルコニーの止水構造を示す斜視図。
【図３】同止水構造を構成する止水キャップとパッキン部材を示す斜視図。
【図４】妻ばりに固定した止水キャップとパッキン部材の断面図。
【図５】柱建て式のバルコニーの一例を示す斜視図。
【図６】柱建て式バルコニーの組み立て図。
【符号の説明】
１０  バルコニー
１２  主柱
１３  中柱
１４  けた
１５  妻ばり
１６  連結根太
１８  根太
２０  デッキボード
３４  側溝部
３６  止水キャップ
３７  パッキン部材
４２  円筒部
【図１】
0003679002.tif 000002
【図２】
0003679002.tif 000003
【図３】
0003679002.tif 000004
【図４】
0003679002.tif 000005
【図５】
0003679002.tif 000006
【図６】
0003679002.tif 000007